(57)【要約】      （修正有）【課題】ベッドから起き上がったりすることなく、カードをカード挿入部に容易に挿入でき、またテレビの向きを調整可能にする。【解決手段】テレビ取付部を鉛直軸回りに回動させる鉛直駆動モータ９と、カード挿入部４８、カードの残り度数を読み取る情報読取部４９ａ及び残り度数を書込む情報書込部４９ｂを有するリモートコントローラ４０と、リモートコントローラ４０とワイヤ１３を介して接続され、テレビ１０への通電をオンオフする通電制御部２１、鉛直駆動モータ９を制御するモータ制御部２７、情報読取部４９ａで読み取られた残り度数に基づき通電制御部２１を介してテレビへの通電を実行させる判断部２４、並びにテレビへの通電時間を計測し、かつ情報読取部で読み取られた残り度数および計測した通電時間に基づき残り度数を更新し、更新した残り度数を情報書込部に送信するカードタイマー部２３を有するコントローラ部２０とを備える。【選択図】図３
2012060442.tif 000002
【特許請求の範囲】
【請求項１】
テレビが設置されるテレビ設置部を有し、かつテレビへの通電許容時間に相当する残り度数が書き込まれたカードに上記残り度数が有る場合に、上記テレビを通電させるとともにその通電時間に対応して上記残り度数を減少させるように用いられる床頭台装置において、
上記テレビ設置部に取付けられる基端部およびその基端部に対し鉛直軸回りと水平軸回りとに回動可能で、上記テレビが取付けられるテレビ取付部を有するテレビ支持部材と、
上記テレビ取付部を鉛直軸回りに回動させる鉛直駆動モータと、
上記テレビおよび上記鉛直駆動モータを操作するための操作部、上記カードがセットされるカード挿入部、セットされたカードの残り度数を読み取る情報読取部、およびカードの残り度数を書込む情報書込部を有するリモートコントローラと、
上記リモートコントローラとワイヤを介して電気的に接続され、リモートコントローラからの送信情報に基づいて上記テレビへの通電をオンオフする通電制御部、リモートコントローラからの送信情報に基づいて上記鉛直駆動モータを制御するモータ制御部、上記情報読取部で読み取られた上記カードの残り度数に基づき上記通電制御部を介して上記テレビへの通電を実行させる判断部、並びに、テレビへの通電時間を計測し、かつ上記情報読取部で読み取られた残り度数および計測した通電時間に基づき残り度数を更新し、その更新した残り度数を上記情報書込部に送信するカードタイマー部を有するコントローラ部とを具備することを特徴とする床頭台装置。
【請求項２】
請求項１に記載の床頭台装置において、
上記テレビ支持部材に設けられ、上記テレビ取付部を水平軸回りに回動させる水平駆動モータと、上記コントローラ部に内蔵され、上記水平駆動モータを制御する水平モータ制御部とを、更に有することを特徴とする床頭台装置。
【請求項３】
請求項１または２に記載の床頭台装置において、
上記テレビ設置部よりも下側に冷蔵庫を備え、上記カードタイマー部が上記テレビへの通電時間の計測とは別に当該冷蔵庫への通電時間を計測し、上記冷蔵庫への通電時間を加味して上記カードの残り度数が更新されることを特徴とする床頭台装置。
【発明の詳細な説明】
【技術分野】
【０００１】
本発明は、例えば病院、ホテルなどにおいて使用され、磁気カード等のカードに残り度数が有る場合にテレビへの通電を許容する床頭台装置に関し、特に、ベッドから立ち上がったり起き上がったりすることなく上記カードを用いてテレビを見ることが可能な床頭台装置を提供する。
【背景技術】
【０００２】
上述した床頭台装置の一般的なものは、床頭台装置の所定位置に取付れられたテレビの近傍にカードタイマーを付設し、そのカードタイマーのカード挿入部にカードを挿入することにより、カードタイマーがカードに残り度数が有ると判断した場合やカードが偽ものでないと判断した場合に電源がオフからオンになり、テレビを見ることができ、またリモートコントローラの発光部をテレビの受光部に向けてリモートコントローラを操作することによりチャンネル変更などを行うことができるように構成されている。更に、同様にリモートコントローラの操作によりテレビが向く方向を左右方向および上下方向に調整し得る構成のものも提案されている（例えば、特許文献１等参照）。この構成は、液晶などの薄型テレビの開発による軽量化によって可能になっている。
【先行技術文献】
【特許文献】
【０００３】
【特許文献１】特許公報第２９１４５６８号
【発明の概要】
【発明が解決しようとする課題】
【０００４】
ところで、カード挿入部までが遠く、ベッドに寝た状態のままでカードをカード挿入部に挿入することが出来ない場合があり、その場合には、ベッドから立ち上がったり起き上がったりと面倒な動作を必要とするために煩わしく、特に病院において動けない病人にあってはカードの挿入が不可能であった。また、テレビの角度がリモートコントローラにより操作できない角度に傾いていると、つまりリモートコントローラからの光をテレビの受光部が受光できない傾きになっていると、テレビの角度調整は勿論のことチャンネル変更などができなくなることもある。
【０００５】
本発明は、このような従来技術の課題を解決するためになされたもので、ベッドから立ち上がったり起き上がったりすることなく、カードをカード挿入部に容易に挿入することができ、またテレビの傾き状態に拘わらずにテレビの向きを調整することができる床頭台装置を提供することを目的とする。
【課題を解決するための手段】
【０００６】
本発明の床頭台装置は、  テレビが設置されるテレビ設置部を有し、かつテレビへの通電許容時間に相当する残り度数が書き込まれたカードに上記残り度数が有る場合に、上記テレビを通電させるとともにその通電時間に対応して上記残り度数を減少させるように用いられる床頭台装置において、上記テレビ設置部に取付けられる基端部およびその基端部に対し鉛直軸回りと水平軸回りとに回動可能で、上記テレビが取付けられるテレビ取付部を有するテレビ支持部材と、上記テレビ取付部を鉛直軸回りに回動させる鉛直駆動モータと、上記テレビおよび上記鉛直駆動モータを操作するための操作部、上記カードがセットされるカード挿入部、セットされたカードの残り度数を読み取る情報読取部、およびカードの残り度数を書込む情報書込部を有するリモートコントローラと、上記リモートコントローラとワイヤを介して電気的に接続され、リモートコントローラからの送信情報に基づいて上記テレビへの通電をオンオフする通電制御部、リモートコントローラからの送信情報に基づいて上記鉛直駆動モータを制御するモータ制御部、上記情報読取部で読み取られた上記カードの残り度数に基づき上記通電制御部を介して上記テレビへの通電を実行させる判断部、並びに、テレビへの通電時間を計測し、かつ上記情報読取部で読み取られた残り度数および計測した通電時間に基づき残り度数を更新し、その更新した残り度数を上記情報書込部に送信するカードタイマー部を有するコントローラ部とを具備することを特徴とする。本発明にあっては、リモートコントローラにカード挿入部が設けられ、そのカード挿入部にカードをセットすると、情報読取部がカードの残り度数を読取り、コントローラ部の判断部がカードの残り度数があると判断すると、通電制御部を介してテレビへの通電を実行させ、または通電待機状態にさせる。よって、例えばリモートコントローラをベッドの近くに置いておけば、ベッドから立ち上がったり起き上がったりすることなく、カードをリモートコントローラのカード挿入部に容易に挿入することができる。そして、テレビへの通電時間がカードタイマー部により計測され、その計測された上記通電時間と、情報読取部で読み取られた残り度数とに基づき、カードタイマー部が残り度数を求めて更新し、その更新した残り度数は情報書込部へ送信されてカードに書き込まれる。また、テレビ支持部材の先端のテレビ取付部を鉛直軸回り（左右方向）に回動させる鉛直駆動モータを制御するモータ制御部を内蔵するコントローラ部に対して、リモートコントローラがワイヤを介して電気的に接続された構成であるので、テレビの傾き状態に拘わらずにリモートコントローラの操作によりテレビの向きを調整することができる。
【０００７】
この構成において、上記テレビ支持部材に設けられ、上記テレビ取付部を水平軸回りに回動させる水平駆動モータと、上記コントローラ部に内蔵され、上記水平駆動モータを制御する水平モータ制御部とを、更に有するようにしてもよい。この構成による場合には、鉛直軸回り（左右方向）だけでなく、水平軸回り（上下方向）にもリモートコントローラによる操作でテレビの向きを調整することができ、大変便利である。
【０００８】
この構成において、上記テレビ設置部よりも下側に冷蔵庫を備え、上記カードタイマー部が上記テレビへの通電時間の計測とは別に当該冷蔵庫への通電時間を計測し、上記冷蔵庫への通電時間を加味して上記カードの残り度数が更新されるようにしてもよい。この構成による場合には、テレビに加えて冷蔵庫を同じカードで利用することができ、利便性に優れる。
【発明の効果】
【０００９】
本発明にあっては、リモートコントローラにカード挿入部が設けられ、そのカード挿入部にカードをセットすると、情報読取部がカードの残り度数を読取り、コントローラ部の判断部がカードの残り度数があると判断すると、通電制御部を介してテレビへの通電を実行させ、または通電待機状態にさせるので、例えばリモートコントローラをベッドの近くに置いておけば、ベッドから立ち上がったり起き上がったりすることなく、カードをリモートコントローラのカード挿入部に容易に挿入することができる。また、テレビ支持部材の先端のテレビ取付部を鉛直軸回り（左右方向）に回動させる鉛直駆動モータを制御するモータ制御部を内蔵するコントローラ部に対して、リモートコントローラがワイヤを介して電気的に接続された構成であるので、テレビの傾き状態に拘わらずにリモートコントローラの操作によりテレビの向きを調整することができる。
【図面の簡単な説明】
【００１０】
【図１】本発明に係る一実施形態に係る床頭台装置を示す正面図である。
【図２】図１の床頭台装置のテレビ設置部を示す正面図である。
【図３】図１の床頭台装置の構成を示すブロック図である。
【発明を実施するための形態】
【００１１】
以下に、本発明の実施形態を具体的に説明する。
【００１２】
図１は本発明に係る一実施形態に係る床頭台装置を示す正面図であり、図２はその床頭台装置のテレビ設置部を示す正面図、図３は図１の床頭台装置の構成を示すブロック図である。
【００１３】
この床頭台装置１は、テレビ１０が設置されるテレビ設置部３を上部に有し、そのテレビ設置部３よりも下側に冷蔵庫３０が設置される冷蔵庫設置部５を有する（図１参照）。
【００１４】
テレビ設置部３の天井３ａには、テレビ支持部材７（以下においてアームと称することがある）の基端部７０が取付けられている。テレビ支持部材７は、上記基端部７０と、その基端部７０に上端が回動可能に支持された鉛直軸部材７１と、鉛直軸部材７１に取付けられたＬ字状部材７２と、Ｌ字状部材７２の先端側に設けられた水平軸部材７３と、その水平軸部材７３に取付けられた先端のテレビ取付部７４とを備え、テレビ取付部７４にはテレビ１０が取付けられている。上記テレビ１０は、軽量な液晶テレビ等の薄型テレビが用いられる。
【００１５】
基端部７０は、内部に空洞を有する箱状のものであって、上端が周方向の全周または一部において水平方向の外方に向けて突出した突出部７０ａを有する。この基端部７０は、上記天井３ａに設けた貫通孔３ｂに挿入されていて、突出部７０ａが貫通孔３ｂの上側周縁部３ｃに引っ掛けられることで、天井３ａに吊り下げられ、また突出部７０ａは図示しないビスにより上側周縁部３ｃに対して固定されており、基端部７０の下端は、貫通孔３ｂよりも下側に位置する。
【００１６】
基端部７０の下面には、上側に窪んだ凹部７０ｂが形成されていて、その凹部７０ｂに鉛直軸部材７１の上端部が鉛直軸回りに回動可能に支持されている。鉛直軸部材７１の下端部には、上記Ｌ字状部材７２の基端側が取付けられている。このＬ字状部材７２は、円筒状の水平部７２ａと、途中がほぼ直角に折れ曲がった円筒状の鈎形部７２ｂとを有し、鈎形部７２ｂの基端側は水平部７２ａの内側に挿入されていて、その挿入深さを調整することにより鉛直軸部材７１の軸心から水平軸部材７３の軸心までの水平長さＬ１を調整できるようになっている。水平部７２ａの先端側にはネジが形成されていて、そのネジの部分に円筒状のチャック部７２ｃが螺合され、チャック部７２ｃを軸心回りに回すと、鈎形部７２ｂを水平部７２ａに固定でき、逆方向に回すと緩めることができるように構成されている。なお、鈎形部７２ｂは中空に限らず、中実の断面円形のものを用いてもよい。
【００１７】
鉛直軸部材７１には、鉛直駆動モータ９から正・逆方向のいずれかの駆動力が選択的に与えられるようになっていて、この駆動力によりテレビ取付部７４及びテレビ１０が左右方向に傾動することになる。また、水平軸部材７３にも、水平駆動モータ１１から時計回りまたは反時計回りのいずれかの駆動力が選択的に与えられるようになっていて、この駆動力によりテレビ取付部７４及びテレビ１０が上下方向に傾動することになる。
【００１８】
テレビ１０には、テレビ１０を遠隔操作するためのリモートコントローラ４０が付設されている（図３参照）。このリモートコントローラ４０には、テレビ１０の電源をオンオフするＴＶ電源ボタン４１、冷蔵庫３０の電源をオンオフする冷蔵庫ボタン４２、テレビ１０の音量を調整する音量ボタン４３、テレビ１０のチャンネルを調整するチャンネルボタン４４、テレビ支持部材（アーム）７を調整するアームボタン４５、テレビ１０の音を出すスピーカ４６、および、後述するカードの残り度数を表示する表示部４７が表面に設けられ、側面（例えば把持して操作を行うときの手前側）にはカード挿入部４８が設けられ、リモートコントローラ４０の内部であってカード挿入部４８の近傍には、情報読取部４９ａおよび情報書込部４９ｂが設けられている。なお、上記ＴＶ電源ボタン４１、冷蔵庫ボタン４２、音量ボタン４３、チャンネルボタン４４およびアームボタン４５は、テレビ１０やモータ９、１１を操作するための操作部として機能する。
【００１９】
ＴＶ電源ボタン４１は、押す度にオンとオフとが順に切り替わるものである。冷蔵庫ボタン４２も同様で、押す度にオンとオフとが順に切り替わるものであり、オンのときに点灯するランプを内蔵する。音量ボタン４３は、押すことでテレビ１０の音量を小さくするボタン４３ａと、押すことでテレビ１０の音量を大きくするボタン４３ｂとを有する。チャンネルボタン４４は、押すことでテレビ１０のチャンネル数を１つずつ小さくするボタン４４ａと、押すことでテレビ１０のチャンネル数を１つずつ大きくするボタン４４ｂとを有する。アームボタン４５は、テレビ取付部７４及びテレビ１０を上向きに調整する押ボタン４５ａと、テレビ取付部７４及びテレビ１０を下向きに調整する押ボタン４５ｂと、テレビ取付部７４及びテレビ１０を左向きに調整する押ボタン４５ｃと、テレビ取付部７４及びテレビ１０を右向きに調整する押ボタン４５ｄとを有する。なお、上記音量ボタン４３、チャンネルボタン４４およびアームボタン４５については、押し続けることで、その押し続けた時間に応じて音量、チャンネルおよびテレビ１０の向き（上下左右）が連続して変化するように構成されている。
【００２０】
上記カード挿入部４８には、カード５０が挿入される。カード５０の情報は情報読取部４９ａにより読み取られ、基端部７０の内部に設けられたコントローラ部２０に送信される。なお、情報読取部４９ａによるカード５０の情報の読取りは、本実施形態ではカード挿入部４８にカード５０を挿入したときにのみ行われる。カード５０に記憶された情報としては、テレビ１０や冷蔵庫３０への通電許容時間に相当する残り度数や、カード５０の真偽などを示すデータなどが該当する。また、カード挿入部４８からのカード５０の排出は、本実施形態では、ＴＶ電源ボタン４１と冷蔵庫ボタン４２とが共にオフになったときに自動で排出されるように構成している。但し、手動で排出するような構成にしてもよいことは勿論である。
【００２１】
リモートコントローラ４０とコントローラ部２０との間の信号の伝達は、ワイヤ１３を介して行われる。ワイヤ１３は、イヤホン用の配線１３ａを含む。この配線１３ａは、コントローラ部２０を経た後に端部にピン１３ｂが設けられていて、このピン１３ｂをテレビ１０に設けられたイヤホン端子１０ｂに挿入（接続）すると、リモートコントローラ４０のスピーカ４６から音が出て、ピン１３ｂをイヤホン端子１０ｂから外すと、スピーカ４６から音が出なくなってテレビ１０から音が出るようになっている。
【００２２】
コントローラ部２０は、図外のコンセントに接続されるプラグ２０ａと、テレビ１０のプラグが接続されるテレビ用コンセント２０ｂと、上記冷蔵庫３０のプラグが接続される冷蔵庫用コンセント２０ｃと、鉛直駆動モータ９へ電力を供給する第１ドライバ２０ｄと、水平駆動モータ１１へ電力を供給する第２ドライバ２０ｅとを備え、コンセント２０ｂ、２０ｃ及び第１ドライバ２０ｄ、第２ドライバ２０ｅへはプラグ２０ａから入力した電力が与えられるようになっている。
【００２３】
また、コントローラ部２０は、テレビ用コンセント２０ｂをオンオフしてテレビ１０への通電をオンオフする第１スイッチ２１、冷蔵庫用コンセント２０ｃをオンオフして冷蔵庫３０への通電をオンオフする第２スイッチ２２、上記情報読取部４９ａで読み取られたカード情報が入力され、これらのカード情報に基づいて上記第１スイッチ２１を介してテレビ１０への通電および、上記第２スイッチ２２を介して冷蔵庫３０への通電を可能とする待機状態にさせる判断部２４、通電状態のテレビ１０及び冷蔵庫３０への通電時間を計測するとともに、上記情報読取部４９ａで読み取られたカード５０の残り度数を入力し、入力した残り度数及び計測した通電時間に基づき上記カード５０の残り度数を更新するカードタイマー部２３、並びに、リモートコントローラ４０のＴＶ電源ボタン４１、音量ボタン４３およびチャンネルボタン４４が操作されたときに、その操作内容を光信号に変換する変換部２５と、その変換部２５からの光信号を出力する発光部２６と、第１ドライバ２０ｄを介して鉛直駆動モータ９を正・逆方向へ回動させる制御を行う第１モータ制御部２７と、第２ドライバ２０ｅを介して水平駆動モータ１１を正・逆方向へ回動させる制御を行う第２モータ制御部２８とを備える。
【００２４】
上記第１モータ制御部２７は、上記リモートコントローラ４０の押ボタン４５ｃが操作されると、第１ドライバ２０ｄを介して鉛直駆動モータ９を正方向（または逆方向）へ回動させ、テレビ１０を左方向へ向くように制御する。一方、押ボタン４５ｄが操作されると、第１モータ制御部２７は第１ドライバ２０ｄを介して鉛直駆動モータ９を逆方向（または正方向）へ回動させ、テレビ１０を右方向へ向くように制御する。また、上記第２モータ制御部２８は、上記リモートコントローラ４０の押ボタン４５ａが操作されると、第２ドライバ２０ｅを介して水平駆動モータ１１を正方向（または逆方向）へ回動させ、テレビ１０を上方向へ向くように制御する。一方、押ボタン４５ｂが操作されると、第２モータ制御部２８は第２ドライバ２０ｅを介して水平駆動モータ１１を逆方向（または正方向）へ回動させ、テレビ１０を下方向へ向くように制御する。
【００２５】
上記変換部２５は、チャンネル変換部２５ａ、オンオフ変換部２５ｂおよび音量変換部２５ｃを有し、変換された光信号は発光部２６から外部へ向けて発信される。発光部２６は、テレビ１０に設けられた受光部１０ａに対して対面するように配設される。この配設は、例えば貼着等により行われる。
【００２６】
上記判断部２４は、情報読取部４９ａで読み取ったカード５０の残り度数が０で有るか否かを判断し、残り度数が０でなければ第１スイッチ２１および第２スイッチ２２をオンにし得る待機状態にしたままとし、この待機状態において、リモートコントローラ４０のＴＶ電源ボタン４１や冷蔵庫ボタン４２が押されると、第１スイッチ２１および第２スイッチ２２をオンにする。その後、残り度数が０になると第１スイッチ２１および第２スイッチ２２をオフにしてテレビ１０および冷蔵庫３０の電源をオフにする。また、判断部２４は、カード５０の残り度数が始めから０である場合、或いはカード５０が偽ものである場合には、第１スイッチ２１および第２スイッチ２２をオフのままにする。
【００２７】
上記カードタイマー部２３は、ここで計測した通電時間を、残り度数の度数に変換し、その変換した度数で、上記情報読取部４９ａで読み取られたカード５０の残り度数を減算し、その減算した度数を残り度数として更新し、その更新した残り度数をリモートコントローラ４０の上記情報書込部４９ｂなどに送信する。この送信を受けて、情報書込部４９ｂは、新しく入力した最新の残り度数をカード５０に書き込む。また、表示部４７は、同じく最新の残り度数を表示する。なお、本実施形態においては、書き込みは、残り度数の最小単位に応じた時間のピッチで行われる。例えば、残り度数の最小単位が分単位である場合には１分ピッチで行われ、残り度数の最小単位が１０分単位である場合には１０分ピッチで行われる。
【００２８】
このように構成された本実施形態に係る床頭台装置１にあっては、リモートコントローラ４０のカード挿入部４８にカード５０を差し込むと、情報読取部４９ａがカード５０の情報を読取り、その情報に応じて判断部２４がテレビ１０および冷蔵庫３０への通電を許容するか否かを判断する。この判断において、通電を許容する場合は、第１スイッチ２１および第２スイッチ２２をオンにし得る待機状態にする。そして、この待機状態において、リモートコントローラ４０のＴＶ電源ボタン４１や冷蔵庫ボタン４２が押されると、第１スイッチ２１および第２スイッチ２２をオンにしてテレビ１０および冷蔵庫３０への通電を行う。よって、例えばリモートコントローラ４０をベッドの近くに置いておけば、ベッドから立ち上がったり起き上がったりすることなく、カード５０をリモートコントローラ４０のカード挿入部４８に容易に挿入することができる。そして、テレビ１０および冷蔵庫３０への通電時間がカードタイマー部２３により計測され、その計測された上記通電時間と、情報読取部４９ａで読み取られた残り度数とに基づき、カードタイマー部２３が残り度数を更新し、その更新した残り度数は情報書込部４９ｂへ送信されてカード５０に書き込まれる。また、テレビ支持部材７の先端のテレビ取付部７４を鉛直軸回り（左右方向）に回動させる鉛直駆動モータ９を制御する第１モータ制御部２７と、テレビ取付部７４を水平軸回り（上下方向）に回動させる水平駆動モータ１１を制御する第２モータ制御部２８とを内蔵するコントローラ部２０に対して、リモートコントローラ４０がワイヤ１３を介して電気的に接続された構成であるので、テレビ１０の傾き状態に拘わらずにリモートコントローラ４０の操作によりテレビ１０の向きを調整することができる。
【００２９】
なお、上述した実施形態ではテレビ１０を鉛直軸回りだけでなく、水平軸回りにおいてもモータ駆動により遠隔操作される構成としているが、本発明はこれに限らず、水平軸回りについては手動により回転する構成としてもよい。
【００３０】
また、上述した実施形態ではテレビへの通電を行わせるためのカードを用いて、冷蔵庫への通電も行うように構成しているが、本発明はこれに限らず、テレビへの通電を行わせるためのカードと、冷蔵庫への通電を行わせるためのカードとを、別のものを用いる構成にしてもよい。
【００３１】
更に、上述した実施形態では、カードの情報を情報読取部が読み取って一定の場合に、テレビや冷蔵庫への通電を可能とする待機状態に一旦し、その後リモートコントローラ４０のＴＶ電源ボタン４１や冷蔵庫ボタン４２が押されてオンになると、テレビや冷蔵庫への通電を実行するように構成しているが、本発明はこれに限らない。例えば、カードの情報を情報読取部が読み取って一定の場合にテレビや冷蔵庫へ通電を実行し、その後、ＴＶ電源ボタン４１や冷蔵庫ボタン４２が押されてオフにされると、テレビや冷蔵庫へ通電を停止するように構成してもよい。
【００３２】
更にまた、上述した実施形態では、カード挿入部４８にカード５０を挿入したときにのみ情報読取部４９ａによるカード５０の情報の読取りを行うように構成しているが、本発明はこれに限らず、一定の時間ピッチでカード５０の情報を読取るようにしてもよい。
【符号の説明】
【００３３】
１    床頭台装置
３    テレビ設置部
５    冷蔵庫設置部
７    テレビ支持部材
７０    基端部
７４    テレビ取付部
９    鉛直駆動モータ
１０    テレビ
２０    コントローラ部
２１    第１スイッチ（通電制御部）
２３    カードタイマー部
２４    判断部
２７    第１モータ制御部
２８    第２モータ制御部
３０    冷蔵庫
４０    リモートコントローラ
４８    カード挿入部
４９ａ    情報読取部
４９ｂ    情報書込部
５０    カード
【図１】
2012060442.tif 000003
【図２】
2012060442.tif 000004
【図３】
2012060442.tif 000005